(57)【要約】【課題】蒸気管の漏洩箇所の補修に取り掛かるまでの時間を短縮し、補修作業の時間短縮を図る補修方法及び補修作業準備装置を提供する。【解決手段】補修方法は、蒸気弁３１１，３２１を閉止する蒸気弁閉止ステップと、フラッシュパイプ開放ドレン弁３３１１ａ，３３１１ｂを閉止する開放ドレン弁閉止ステップと、復水器ドレン弁３４１ａ，３４１ｂを開放する復水器ドレン弁開放ステップと、真空ポンプ２１２を起動させる真空ポンプ起動ステップと、を備える。補修作業準備装置１０は、蒸気弁３１１，３２１を閉止し、フラッシュパイプ開放ドレン弁３３１１ａ，３３１１ｂを閉止し、復水器ドレン弁３４１ａ，３４１ｂを開放し、真空ポンプ２１２を起動させる。さらに、補修作業準備装置１０は、開放ドレンラインのうち漏洩箇所の近傍に設置された大気開放ドレンライン３３２ａ，３３２ｂの大気開放ドレン弁３３２１ａ，３３２１ｂを開放する。【選択図】図１
2013204437.tif 000002
【特許請求の範囲】
【請求項１】
ボイラと、
タービンと、
復水器と、
前記復水器に接続された真空ポンプと、
前記ボイラと前記タービンとを接続する蒸気管と、
前記蒸気管における前記タービンの上流側に設けられた蒸気弁と、
前記蒸気管と前記復水器とを接続し前記蒸気管で発生したドレンが流れる復水器ドレンラインと、
前記復水器ドレンラインに設けられた復水器ドレン弁と、
一端が前記蒸気管に接続され、他端が開放された開放ドレンラインと、
前記開放ドレンラインに設けられた開放ドレン弁と、を備える発電プラントにおける前記蒸気管の漏洩箇所の補修方法であって、
前記蒸気弁を閉止する蒸気弁閉止ステップと、
前記開放ドレン弁を閉止する開放ドレン弁閉止ステップと、
前記復水器ドレン弁を開放する復水器ドレン弁開放ステップと、
前記真空ポンプを起動させる真空ポンプ起動ステップと、を備える補修方法。
【請求項２】
前記タービンは、前記ボイラから発生した蒸気が流れる高圧タービンと、前記高圧タービンから排気された蒸気が前記ボイラで再び熱せられて流れる中圧及び低圧タービンとを含み、
前記蒸気管は、前記ボイラと前記高圧タービンとを接続する主蒸気管と、前記高圧タービンと前記中圧及び低圧タービンとを接続する再熱蒸気管とを含み、
前記蒸気弁は、前記主蒸気管における前記高圧タービンの上流側に設けられた主蒸気弁と、前記再熱蒸気管における前記中圧及び低圧タービンの上流側に設けられた再熱蒸気弁とを含み、
前記蒸気弁閉止ステップは、前記主蒸気弁及び前記再熱蒸気弁を閉止する、請求項１に記載の補修方法。
【請求項３】
前記開放ドレンラインのうち前記漏洩箇所の近傍に設置された前記開放ドレンラインの前記開放ドレン弁を開放する開放ドレン弁開放ステップをさらに備える請求項１又は２に記載の補修方法。
【請求項４】
前記開放ドレンラインは、
前記他端側に蒸気とドレンとを分離するフラッシュパイプが接続され、該フラッシュパイプを介して大気に開放されるフラッシュパイプ開放ドレンラインと、
前記フラッシュパイプを介することなく大気に開放される大気開放ドレンラインと、を備え、
前記開放ドレン弁開放ステップにおいて、前記大気開放ドレンラインに設けられた大気開放ドレン弁を開放する請求項３に記載の補修方法。
【請求項５】
請求項４に記載の補修方法を実行する補修作業準備装置であって、
前記蒸気弁を閉止する蒸気弁閉止手段と、
前記蒸気弁閉止手段によって閉止されたことに応じて、前記開放ドレン弁を閉止する開放ドレン弁閉止手段と、
前記開放ドレン弁閉止手段によって閉止されたことに応じて、前記復水器ドレン弁を開放する復水器ドレン弁開放手段と、
前記復水器ドレン弁開放手段によって開放されたことに応じて、前記真空ポンプを起動させる真空ポンプ起動手段と、
前記開放ドレンラインのうち前記漏洩箇所の近傍に設置された前記大気開放ドレンラインの前記大気開放ドレン弁を開放する開放ドレン弁開放手段と、
を備える補修作業準備装置。
【発明の詳細な説明】
【技術分野】
【０００１】
本発明は、補修方法及び補修作業準備装置に関する。
【背景技術】
【０００２】
従来より、大容量の火力発電プラントや原子力発電プラント等の蒸気タービンによる発電プラントでは、再生サイクル方式や、再生再熱サイクル方式が一般に採用され、ボイラで発生した高温高圧の蒸気は、蒸気管を介して高圧タービンに流入後、再熱されて中圧及び低圧タービンに流入し、蒸気タービンを駆動する。
【０００３】
このような発電プラントにおいて、蒸気管の漏洩箇所が発見されると、作業員は、ボイラの運転を停止し、蒸気管の温度が低下して、蒸気が漏洩箇所から漏れ出なくなるのを待って、漏洩箇所の補修を行う。そのため、蒸気管の漏洩箇所の補修作業は、時間が掛かる。
【０００４】
配管の補修については、配管内の肉盛り施工した部分の耐摩耗部材の摩耗や割れ等の欠陥に対して補修を施工する場合、補修を効果的に高品質に施工できる技術が特許文献１に開示されている。この補修装置は、補修の際に、耐摩耗部材の補修部分に被着した補修材を加熱溶融させて補修部分に浸透・充填させるために、不活性ガスを導入したり、排気装置で負圧にしたりして酸化作用から保護する。
【先行技術文献】
【特許文献】
【０００５】
【特許文献１】特開２００３−２６０６２１号公報
【発明の概要】
【発明が解決しようとする課題】
【０００６】
上述のように、配管の補修に際し、補修部分を加熱溶融させたり、配管内を排気装置で負圧にしたりする技術は知られている。
しかしながら、発電プラント等における、高温高圧の蒸気が流れる蒸気管の漏洩箇所の補修において、補修に取り掛かるまでの時間を短縮する技術は知られていない。
【０００７】
そこで、蒸気管の漏洩箇所の補修に取り掛かるまでの時間を短縮し、補修作業の時間短縮を図る方法及び装置が望まれている。
【０００８】
本発明は、蒸気管の漏洩箇所の補修に取り掛かるまでの時間を短縮し、補修作業の時間短縮を図る補修方法及び補修作業準備装置を提供することを目的とする。
【課題を解決するための手段】
【０００９】
本発明では、以下のような解決手段を提供する。
（１）  ボイラと、タービンと、復水器と、前記復水器に接続された真空ポンプと、前記ボイラと前記タービンとを接続する蒸気管と、前記蒸気管における前記タービンの上流側に設けられた蒸気弁と、前記蒸気管と前記復水器とを接続し前記蒸気管で発生したドレンが流れる復水器ドレンラインと、前記復水器ドレンラインに設けられた復水器ドレン弁と、一端が前記蒸気管に接続され、他端が開放された開放ドレンラインと、前記開放ドレンラインに設けられた開放ドレン弁と、を備える発電プラントにおける前記蒸気管の漏洩箇所の補修方法であって、前記蒸気弁を閉止する蒸気弁閉止ステップと、前記開放ドレン弁を閉止する開放ドレン弁閉止ステップと、前記復水器ドレン弁を開放する復水器ドレン弁開放ステップと、前記真空ポンプを起動させる真空ポンプ起動ステップと、を備える補修方法。
【００１０】
（１）の構成によれば、本発明に係る補修方法は、蒸気弁を閉止し、開放ドレン弁を閉止し、復水器ドレン弁を開放し、真空ポンプを起動させる。すなわち、本発明に係る補修方法は、所定の弁を閉止及び開放し、真空ポンプを起動させて、ボイラ停止後も蒸気管に残留している高温高圧の蒸気を復水器に吸引する。
【００１１】
したがって、本発明に係る補修方法は、蒸気管に残留している高温高圧の蒸気を吸引し、蒸気管の温度を下げるので、蒸気管の漏洩箇所の補修に取り掛かるまでの時間を短縮し、補修作業の時間短縮を図ることができる。
【００１２】
（２）  前記タービンは、前記ボイラから発生した蒸気が流れる高圧タービンと、前記高圧タービンから排気された蒸気が前記ボイラで再び熱せられて流れる中圧及び低圧タービンとを含み、前記蒸気管は、前記ボイラと前記高圧タービンとを接続する主蒸気管と、前記高圧タービンと前記中圧及び低圧タービンとを接続する再熱蒸気管とを含み、前記蒸気弁は、前記主蒸気管における前記高圧タービンの上流側に設けられた主蒸気弁と、前記再熱蒸気管における前記中圧及び低圧タービンの上流側に設けられた再熱蒸気弁とを含み、前記蒸気弁閉止ステップは、前記主蒸気弁及び前記再熱蒸気弁を閉止する、（１）に記載の補修方法。
【００１３】
（２）に係る補修方法は、蒸気弁として主蒸気弁及び再熱蒸気弁を閉止して、蒸気管に残留している高温高圧の蒸気を吸引し、蒸気管の温度を下げるので、蒸気管の漏洩箇所の補修に取り掛かるまでの時間を短縮し、補修作業の時間短縮を図ることができる。
【００１４】
（３）  前記開放ドレンラインのうち前記漏洩箇所の近傍に設置された前記開放ドレンラインの前記開放ドレン弁を開放する開放ドレン弁開放ステップをさらに備える（１）又は（２）に記載の補修方法。
【００１５】
（３）に係る補修方法は、他端が開放された開放ドレンラインのうち漏洩箇所の近傍に設置された開放ドレンラインを開放して、蒸気管に残留している高温高圧の蒸気を吸引すると共に、外部の空気を蒸気管の内部に吸引して蒸気管の温度を下げるので、蒸気管の漏洩箇所の補修に取り掛かるまでの時間をさらに短縮し、補修作業の時間短縮を図ることができる。
【００１６】
（４）  前記開放ドレンラインは、前記他端側に蒸気とドレンとを分離するフラッシュパイプが接続され、該フラッシュパイプを介して大気に開放されるフラッシュパイプ開放ドレンラインと、前記フラッシュパイプを介することなく大気に開放される大気開放ドレンラインと、を備え、前記開放ドレン弁開放ステップにおいて、前記大気開放ドレンラインに設けられた大気開放ドレン弁を開放する（３）に記載の補修方法。
【００１７】
（４）に係る補修方法は、漏洩箇所の近傍に設置された開放ドレンラインのうち、大気開放ドレンラインの大気開放ドレン弁を開放することによって、フラッシュパイプを介して蒸気管を大気に開放するのではなく、直接、蒸気管を大気に開放する。よって、（４）に係る補修方法は、フラッシュパイプを介するよりも低温の空気により蒸気管の温度を下げるので、蒸気管の漏洩箇所の補修に取り掛かるまでの時間をなお一層短縮し、補修作業の時間短縮を図ることができる。
【００１８】
（５）  （４）に記載の補修方法を実行する補修作業準備装置であって、前記蒸気弁を閉止する蒸気弁閉止手段と、前記蒸気弁閉止手段によって閉止されたことに応じて、前記開放ドレン弁を閉止する開放ドレン弁閉止手段と、前記開放ドレン弁閉止手段によって閉止されたことに応じて、前記復水器ドレン弁を開放する復水器ドレン弁開放手段と、前記復水器ドレン弁開放手段によって開放されたことに応じて、前記真空ポンプを起動させる真空ポンプ起動手段と、前記開放ドレンラインのうち前記漏洩箇所の近傍に設置された前記大気開放ドレンラインの前記大気開放ドレン弁を開放する開放ドレン弁開放手段と、を備える補修作業準備装置。
【００１９】
（５）に係る補修作業準備装置は、蒸気管に残留している高温高圧の蒸気を吸引させ、蒸気管の温度を下げるので、蒸気管の漏洩箇所の補修に取り掛かるまでの時間を短縮し、補修作業の時間短縮を図ることができる。
【発明の効果】
【００２０】
本発明によれば、蒸気管に残留している高温高圧の蒸気を吸引し、蒸気管の温度を下げるので、蒸気管の漏洩箇所の補修に取り掛かるまでの時間を短縮し、補修作業の時間短縮を図ることができる。
【図面の簡単な説明】
【００２１】
【図１】本発明の一実施形態に係る補修方法が対象とする発電プラントの一例を示す図である。
【図２】本発明の一実施形態に係る補修方法を実行する補修作業準備装置の機能を示すブロック図である。
【図３】本発明の一実施形態に係る補修作業準備装置の処理内容を示すフローチャートである。
【発明を実施するための形態】
【００２２】
以下、本発明の実施形態について図を参照しながら説明する。図１は、本発明の一実施形態に係る補修方法が対象とする発電プラント１の一例を示す図である。
【００２３】
図１において、発電プラント１は、ボイラ２０１と、タービン２０２，２０３，２０４と、復水器２０５と、復水器２０５に接続された真空ポンプ２１２と、ボイラ２０１とタービン２０２，２０３，２０４とを接続する蒸気管３１，３２と、蒸気管３１，３２におけるタービン２０２，２０３，２０４の上流側に設けられた蒸気弁３１１，３２１と、蒸気管３１，３２と復水器２０５とを接続し蒸気管３１，３２で発生したドレンが流れる復水器ドレンライン３４ａ，３４ｂと、復水器ドレンライン３４ａ，３４ｂに設けられた復水器ドレン弁３４１ａ，３４１ｂと、一端が蒸気管３１，３２に接続され、他端が開放された開放ドレンライン３３１ａ，３３１ｂ，３３２ａ，３３２ｂと、開放ドレンライン３３１ａ，３３１ｂ，３３２ａ，３３２ｂに設けられた開放ドレン弁３３１１ａ，３３１１ｂ，３３２１ａ，３３２１ｂと、を備える。
【００２４】
ボイラ２０１は、高温高圧の蒸気を発生させる。
タービン２０２，２０３，２０４は、ボイラ２０１に接続された主蒸気管３１により蒸気が流入する高圧タービン２０２と、高圧タービン２０２から排気された蒸気が、再びボイラ２０１で高温高圧の蒸気に再熱された後、再熱蒸気管３２により流入する中圧タービン２０３と、中圧タービン２０３から蒸気が供給される低圧タービン２０４とを含む。
復水器２０５は、低圧タービン２０４から排気される蒸気を冷却水により凝縮する。
【００２５】
復水器２０５に接続された真空ポンプ２１２は、復水器２０５へ漏れ込む不凝縮ガスを連続的に抽出し、復水器２０５の真空度を保つ。
【００２６】
ボイラ２０１と高圧タービン２０２とを接続する主蒸気管３１は、主蒸気管３１における高圧タービン２０２の上流側に設けられた主蒸気弁３１１を備え、ボイラ２０１と中圧タービン２０３とを接続する再熱蒸気管３２は、再熱蒸気管３２における中圧タービン２０３の上流側に設けられた再熱蒸気弁３２１を備えている。以下、主蒸気管３１と再熱蒸気管３２とを区別しない場合（同様に、主蒸気弁３１１と再熱蒸気弁３２１とを区別しない場合）、蒸気管３１，３２（蒸気弁３１１，３２１）という。
【００２７】
蒸気管３１，３２と復水器２０５とを接続する復水器ドレンライン３４ａ，３４ｂは、蒸気管３１，３２で発生したドレンを復水器２０５に流す。復水器ドレンライン３４ａ，３４ｂには、復水器ドレン弁３４１ａ，３４１ｂが設けられている。なお、図１では、復水器ドレンライン３４ａ，３４ｂは、例として主蒸気管３１及び再熱蒸気管３２のそれぞれに１本のみが図示されているが、所定の間隔で複数本設置されている。また、復水器ドレンライン３４ａ，３４ｂは、復水器２０５に集合されて接続されたり、個々に接続されたりしている。そして、復水器ドレン弁３４１ａ，３４１ｂは、複数の復水器ドレンライン３４ａ，３４ｂにおける集合部分や、個々の部分に設けられる。
【００２８】
一端が蒸気管３１，３２に接続され、他端が開放された開放ドレンライン３３１ａ，３３１ｂ，３３２ａ，３３２ｂは、フラッシュパイプ開放ドレンライン３３１ａ，３３１ｂと、大気開放ドレンライン３３２ａ，３３２ｂとを含む。フラッシュパイプ開放ドレンライン３３１ａ，３３１ｂと、大気開放ドレンライン３３２ａ，３３２ｂとは、それぞれ複数存在する。
【００２９】
複数のフラッシュパイプ開放ドレンライン３３１ａ，３３１ｂの一端は、蒸気管３１，３２に所定の間隔で設置（図示せず）されている。他端は、集合して、フラッシュパイプ２１１に接続され、該フラッシュパイプ２１１を介して大気に開放される。複数のフラッシュパイプ開放ドレンライン３３１ａ，３３１ｂには、フラッシュパイプ開放ドレン弁３３１１ａ，３３１１ｂが設置されている。
【００３０】
複数のフラッシュパイプ開放ドレンライン３３１ａ，３３１ｂが集合して接続されたフラッシュパイプ２１１は、蒸気管３１，３２から流れる高温ドレンを蒸気とドレンとに分離する。分離された蒸気は大気へ、ドレンは排水処理施設へ排出される。
【００３１】
複数の大気開放ドレンライン３３２ａ，３３２ｂの一端は、蒸気管３１，３２に所定の間隔で設置（図示せず）されている。他端は、フラッシュパイプ２１１を介することなく大気に開放されている。複数の大気開放ドレンライン３３２ａ，３３２ｂには、それぞれ大気開放ドレン弁３３２１ａ，３３２１ｂが設置されている。
【００３２】
発電プラント１の通常運転において、主蒸気弁３１１及び再熱蒸気弁３２１は、開放されている。開放ドレンライン３３１ａ，３３１ｂ，３３２ａ，３３２ｂのうちフラッシュパイプ開放ドレンライン３３１ａ，３３１ｂに設けられたフラッシュパイプ開放ドレン弁３３１１ａ，３３１１ｂは、閉止され、大気開放ドレンライン３３２ａ，３３２ｂに設けられた大気開放ドレン弁３３２１ａ，３３２１ｂも、閉止されている。復水器ドレンライン３４ａ，３４ｂに設けられた復水器ドレン弁３４１ａ，３４１ｂは、閉止されている。
【００３３】
次に、本発明の一実施形態に係る補修方法について説明する。
本実施形態の補修方法は、蒸気弁閉止ステップと、開放ドレン弁閉止ステップと、復水器ドレン弁開放ステップと、真空ポンプ起動ステップと、開放ドレン弁開放ステップとを備える。
【００３４】
蒸気弁閉止ステップにおいては、蒸気弁３１１，３２１が閉止される。具体的には、主蒸気管３１における高圧タービン２０２の上流側に設けられた主蒸気弁３１１に、閉止信号が送信される。同様に、再熱蒸気管３２における中圧タービン２０３及び低圧タービン２０４の上流側に設けられた再熱蒸気弁３２１に、閉止信号が送信される。蒸気弁３１１，３２１が閉止されることにより、高圧タービン２０２及び中圧タービン２０３に通じる経路が閉鎖される。
なお、タービンの段落の途中から他での利用に必要な分だけ蒸気を取り出す抽気が行われている場合、抽気弁３５１にも閉止信号が送信され、閉止される。
【００３５】
開放ドレン弁閉止ステップにおいて、フラッシュパイプ開放ドレン弁３３１１ａ，３３１１ｂが閉止される。通常運転中においてフラッシュパイプ開放ドレン弁３３１１ａ，３３１１ｂは、閉止されているが、漏洩等のトラブルによる停止後にボイラやタービンのブロー操作が行われる場合、フラッシュパイプ開放ドレン弁３３１１ａ，３３１１ｂは、開放される場合があるので、開放ドレン弁閉止ステップにおいて、閉止される。具体的には、蒸気弁閉止ステップの次に、フラッシュパイプ開放ドレンライン３３１ａ，３３１ｂのフラッシュパイプ開放ドレン弁３３１１ａ，３３１１ｂに、閉止信号が送信される。フラッシュパイプ開放ドレン弁３３１１ａ，３３１１ｂが閉止されることにより、フラッシュパイプ２１１に通じる経路が閉鎖される。
【００３６】
復水器ドレン弁開放ステップにおいて、復水器ドレン弁３４１ａ，３４１ｂが開放される。具体的には、開放ドレン弁閉止ステップの次に、復水器ドレン弁３４１ａ，３４１ｂに、開放信号が送信される。復水器ドレン弁３４１ａ，３４１ｂが開放されることによって、蒸気管３１，３２と復水器２０５とが開通する。なお、蒸気管３１，３２以外で発生したドレンを復水器２０５に流すドレンライン（図示せず）に設けられているドレン弁（図示せず）は、閉止される。これらのドレン弁は、通常停止したばかりでは閉止されているが、漏洩等のトラブルによる停止後にボイラやタービンのブロー操作が行われる場合、開放される場合があるため、復水器ドレン弁開放ステップにおいて、閉止される。
【００３７】
真空ポンプ起動ステップにおいて、真空ポンプ２１２が起動させられる。具体的には、復水器ドレン弁開放ステップの次に、復水器２０５に接続された真空ポンプ２１２に起動指令が送信される。送信された起動信号を受信した真空ポンプ２１２は、起動信号に応じて起動する。すなわち、真空ポンプ２１２は、高圧タービン２０２、中圧タービン２０３及びフラッシュパイプ２１１との経路が閉ざされた蒸気管３１，３２内の蒸気を吸引する。なお、真空ポンプ２１２が運用において既に動作中の場合、真空ポンプ２１２は、動作を継続する。また、真空ポンプ２１２は、真空度に応じて吸引力を強くする指令が送信されるとしてもよい。
【００３８】
開放ドレン弁開放ステップにおいて、開放ドレンライン３３１ａ，３３１ｂ，３３２ａ，３３２ｂのうち漏洩箇所の近傍に設置された開放ドレンライン３３１ａ，３３１ｂ，３３２ａ，３３２ｂの開放ドレン弁３３１１ａ，３３１１ｂ，３３２１ａ，３３２１ｂが開放される。なお、開放ドレン弁３３１１ａ，３３１１ｂ，３３２１ａ，３３２１ｂのうち、フラッシュパイプ開放ドレン弁３３１１ａ，３３１１ｂが開放される場合は、フラッシュパイプ２１１に高温なドレン水が流入していないことが確認された後に開放されることが好ましい。具体的には、漏洩箇所の位置と、開放ドレンライン３３１ａ，３３１ｂ，３３２ａ，３３２ｂの位置とが比較され、差が所定の範囲内である開放ドレンライン３３１ａ，３３１ｂ，３３２ａ，３３２ｂが抽出され、抽出された開放ドレンライン３３１ａ，３３１ｂ，３３２ａ，３３２ｂの開放ドレン弁３３１１ａ，３３１１ｂ，３３２１ａ，３３２１ｂに、開放信号が送信される。なお、開放ドレンライン３３１ａ，３３１ｂ，３３２ａ，３３２ｂの開放による真空度の低下が算出され、真空ポンプ２１２の能力を超えないように、開放ドレンライン３３１ａ，３３１ｂ，３３２ａ，３３２ｂの開放ドレン弁３３１１ａ，３３１１ｂ，３３２１ａ，３３２１ｂが開放されるとしてもよい。
【００３９】
さらに、開放ドレン弁開放ステップにおいて、開放ドレンライン３３１ａ，３３１ｂ，３３２ａ，３３２ｂが大気開放ドレンライン３３２ａ，３３２ｂを備えている場合、大気開放ドレンライン３３２ａ，３３２ｂに設けられた大気開放ドレン弁３３２１ａ，３３２１ｂに、開放信号が送信され、大気開放ドレン弁３３２１ａ，３３２１ｂが開放される。
【００４０】
さらに、開放ドレン弁開放ステップにおいて、開放ドレンライン３３１ａ，３３１ｂ，３３２ａ，３３２ｂのうち漏洩箇所の近傍で、かつ、蒸気管３１，３２において上流側に設置された大気開放ドレンライン３３２ａ，３３２ｂの大気開放ドレン弁３３２１ａ，３３２１ｂが開放されるとしてもよい。
【００４１】
次に、本発明の一実施形態に係る補修作業準備装置１０について説明する。
図２は、本発明の一実施形態に係る補修方法を実行する補修作業準備装置１０の機能を示すブロック図である。
【００４２】
補修作業準備装置１０は、上述の補修方法の各ステップを実行する。補修作業準備装置１０は、蒸気弁閉止部１１と、開放ドレン弁閉止部１２と、復水器ドレン弁開放部１３と、真空ポンプ起動部１４と、開放ドレン弁開放部１５とを備える。
【００４３】
蒸気弁閉止部１１は、蒸気弁閉止ステップを実行する。具体的には、蒸気弁閉止部１１は、主蒸気弁３１１に、閉止信号を送信する。同様に、蒸気弁閉止部１１は、再熱蒸気弁３２１に、閉止信号を送信する。なお、タービンの段落の途中から他での利用に必要な分だけ蒸気を取り出す抽気が行われている場合、蒸気弁閉止部１１は、抽気弁３５１にも閉止信号を送信し、閉止する。
【００４４】
開放ドレン弁閉止部１２は、開放ドレン弁閉止ステップを実行する。具体的には、開放ドレン弁閉止部１２は、フラッシュパイプ開放ドレンライン３３１ａ，３３１ｂのフラッシュパイプ開放ドレン弁３３１１ａ，３３１１ｂに、閉止信号を送信する。
【００４５】
復水器ドレン弁開放部１３は、復水器ドレン弁開放ステップを実行する。具体的には、復水器ドレン弁開放部１３は、復水器ドレン弁３４１ａ，３４１ｂに、開放信号を送信する。
【００４６】
真空ポンプ起動部１４は、真空ポンプ起動ステップを実行する。具体的には、真空ポンプ起動部１４は、真空ポンプ２１２に起動指令を送信する。
【００４７】
開放ドレン弁開放部１５は、開放ドレン弁開放ステップを実行する。具体的には、開放ドレン弁開放部１５は、漏洩箇所の位置（例えば、作業者による位置の入力を受け付け、受け付けた位置を漏洩箇所の位置として記憶する）と、開放ドレンライン３３１ａ，３３１ｂ，３３２ａ，３３２ｂの位置（例えば、予め入力されて記憶している位置）とを比較し、差が所定の範囲内である開放ドレンライン３３１ａ，３３１ｂ，３３２ａ，３３２ｂを抽出し、抽出した開放ドレンライン３３１ａ，３３１ｂ，３３２ａ，３３２ｂの開放ドレン弁３３１１ａ，３３１１ｂ，３３２１ａ，３３２１ｂに、開放信号を送信する。なお、開放ドレン弁開放部１５は、開放ドレン弁３３１１ａ，３３１１ｂ，３３２１ａ，３３２１ｂのうち、フラッシュパイプ開放ドレン弁３３１１ａ，３３１１ｂを開放する場合は、フラッシュパイプ２１１に高温なドレン水が流入していないことを示す指示信号を受けて、開放信号を送信するとしてもよい。
【００４８】
さらに、開放ドレン弁開放部１５は、開放ドレンライン３３１ａ，３３１ｂ，３３２ａ，３３２ｂが大気開放ドレンライン３３２ａ，３３２ｂを備えている場合、大気開放ドレンライン３３２ａ，３３２ｂに設けられた大気開放ドレン弁３３２１ａ，３３２１ｂに、開放信号を送信し、大気開放ドレン弁３３２１ａ，３３２１ｂを開放する。
【００４９】
また、開放ドレン弁開放部１５は、開放ドレンライン３３１ａ，３３１ｂ，３３２ａ，３３２ｂのうち漏洩箇所の近傍で、かつ、蒸気管３１，３２において上流側に設置された大気開放ドレンライン３３２ａ，３３２ｂの大気開放ドレン弁３３２１ａ，３３２１ｂを開放するとしてもよい。
【００５０】
図３は、本発明の一実施形態に係る補修作業準備装置１０の処理内容を示すフローチャートである。補修作業準備装置１０は、コンピュータ及びその周辺装置が備えるハードウェア並びに該ハードウェアを制御するソフトウェアによって構成され、以下の処理は、補修作業準備装置１０の制御部（例えば、ＣＰＵ）が所定のソフトウェアに従い実行する処理である。
【００５１】
ステップＳ１１において、補修作業準備装置１０（蒸気弁閉止部１１）は、主蒸気弁３１１に、閉止信号を送信し、再熱蒸気弁３２１に、閉止信号を送信する。その後、補修作業準備装置１０は、処理をステップＳ１２に移す。
【００５２】
ステップＳ１２において、補修作業準備装置１０（開放ドレン弁閉止部１２）は、フラッシュパイプ開放ドレンライン３３１ａ，３３１ｂのフラッシュパイプ開放ドレン弁３３１１ａ，３３１１ｂに、閉止信号を送信する。その後、補修作業準備装置１０は、処理をステップＳ１３に移す。
【００５３】
ステップＳ１３において、補修作業準備装置１０（復水器ドレン弁開放部１３）は、復水器２０５に接続されている復水器ドレン弁３４１ａ，３４１ｂに、開放信号を送信する。その後、補修作業準備装置１０は、処理をステップＳ１４に移す。
【００５４】
ステップＳ１４において、補修作業準備装置１０（真空ポンプ起動部１４）は、復水器２０５に接続された真空ポンプ２１２に起動指令を送信する。その後、補修作業準備装置１０は、処理をステップＳ１５に移す。
【００５５】
ステップＳ１５において、補修作業準備装置１０（開放ドレン弁開放部１５）は、漏洩箇所の位置の入力を受け付け、受け付けた漏洩箇所の位置と、予め入力されて記憶している大気開放ドレンライン３３２ａ，３３２ｂの位置とを比較し、差が所定の範囲内である大気開放ドレンライン３３２ａ，３３２ｂを抽出し、抽出した大気開放ドレンライン３３２ａ，３３２ｂの大気開放ドレン弁３３２１ａ，３３２１ｂに、開放信号を送信する。その後、補修作業準備装置１０は、処理を終了する。
【００５６】
本実施形態によれば、蒸気弁３１１，３２１を閉止し、フラッシュパイプ開放ドレン弁３３１１ａ，３３１１ｂを閉止し、復水器ドレン弁３４１ａ，３４１ｂを開放し、真空ポンプ２１２を起動させる。すなわち、発電プラント１における蒸気管３１，３２の漏洩箇所の補修のために、所定の弁を閉止及び開放し、真空ポンプ２１２を起動させて、ボイラ２０１停止後も蒸気管３１，３２に残留している高温高圧の蒸気を復水器２０５に吸引させる。したがって、本実施形態によれば、蒸気管３１，３２に残留している高温高圧の蒸気を真空ポンプ２１２に吸引させ、蒸気管３１，３２の温度を下げるので、蒸気管３１，３２の漏洩箇所の補修に取り掛かるまでの時間を短縮し、補修作業の時間短縮を図ることができる。
【００５７】
さらに、本実施形態によれば、開放ドレンライン３３１ａ，３３１ｂ，３３２ａ，３３２ｂのうち、漏洩箇所の近傍に設置された開放ドレンライン３３１ａ，３３１ｂ，３３２ａ，３３２ｂの開放ドレン弁３３１１ａ，３３１１ｂ，３３２１ａ，３３２１ｂを開放する。すなわち、漏洩箇所の近傍の開放ドレンライン３３１ａ，３３１ｂ，３３２ａ，３３２ｂを開放して、蒸気管３１，３２に残留している高温高圧の蒸気を吸引すると共に、外部から蒸気管３１，３２に吸引した空気により蒸気管３１，３２の温度を下げるので、蒸気管３１，３２の漏洩箇所の補修に取り掛かるまでの時間をさらに短縮し、補修作業の時間短縮を図ることができる。
【００５８】
さらに、本実施形態によれば、一端が蒸気管３１，３２に接続された複数のフラッシュパイプ開放ドレンライン３３１ａ，３３１ｂにおいて、その他端が集合して接続されているフラッシュパイプ２１１を介さずに、大気開放ドレンライン３３２ａ，３３２ｂを介して、直接、蒸気管３１，３２を大気に開放する。すなわち、漏洩箇所の近傍に設置された開放ドレンライン３３１ａ，３３１ｂ，３３２ａ，３３２ｂのうち、大気開放ドレンライン３３２ａ，３３２ｂの大気開放ドレン弁３３２１ａ，３３２１ｂを開放し、蒸気管３１，３２を、直接、大気に開放する。したがって、フラッシュパイプ２１１を介するよりも低温の大気により蒸気管３１，３２の温度を下げるので、蒸気管の漏洩箇所の補修に取り掛かるまでの時間をなお一層短縮し、補修作業の時間短縮を図ることができる。
【００５９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６０】
１０    補修作業準備装置
１１    蒸気弁閉止部
１２    開放ドレン弁閉止部
１３    復水器ドレン弁開放部
１４    真空ポンプ起動部
１５    開放ドレン弁開放部
２０１    ボイラ
２０２    高圧タービン
２０３    中圧タービン
２０４    低圧タービン
２０５    復水器
２１１    フラッシュパイプ
２１２    真空ポンプ
３１      主蒸気管
３１１    主蒸気弁
３２      再熱蒸気管
３２１    再熱蒸気弁
３３１ａ，３３１ｂ      フラッシュパイプ開放ドレンライン
３３１１ａ，３３１１ｂ  フラッシュパイプ開放ドレン弁
３３２ａ，３３２ｂ      大気開放ドレンライン
３３２１ａ，３３２１ｂ  大気開放ドレン弁
３４ａ，３４ｂ          復水器ドレンライン
３４１ａ，３４１ｂ      復水器ドレン弁
３５１                  抽気弁
【図１】
2013204437.tif 000003
【図２】
2013204437.tif 000004
【図３】
2013204437.tif 000005